(57)【要約】      （修正有）【課題】陳列棚において、大小異なる複数の商品を棚板に載置したとき、商品の正面壁を同一面に沿って揃わせることを可能にした整列装置を提供する。【解決手段】商品を載置する棚板４を備えた陳列棚であり、輻ｗ１及び高さｈ１を有する第１商品Ｍ１と輻ｗ２及び高さｈ２を有する第２商品Ｍ２とから成る複数の商品を棚板に載置せしめる構成において、第１当接部１０は、第２商品の高さｈ２よりも上位に位置し且つ第１商品の輻ｗ１により規定される後面を当接せしめる第１当たり面１０ａを形成し、第２当接部１１は、第１商品の高さｈ１よりも低位に位置し且つ第２商品の輻ｗ２により規定される後面を当接せしめる第２当たり面１１ａを形成しており、棚板の背部の所定位置を基準面Ｑとしたとき、第１当たり面の基準面Ｑからの距離Ｌ１と、第２当たり面の基準面Ｑからの距離Ｌ２を、Ｌ１＋ｗ１＝Ｌ２＋ｗ２となるように構成している。【選択図】        図２
2004283224.tif 000002
【特許請求の範囲】
【請求項１】
商品を載置する棚板を備えた陳列棚であり、棚板の奥行き方向に関する商品の少なくとも上端部における幅を幅寸法ｗとすると共に、棚板の載置面から商品の上端部までの高さを高さ寸法ｈとしたとき、ｗ１＜ｗ２且つｈ１＞ｈ２とされた幅ｗ１及び高さｈ１を有する第１商品Ｍ１と幅ｗ２及び高さｈ２を有する第２商品Ｍ２とから成る複数の商品を棚板に載置せしめる構成において、
棚板の上部において背部から正面に向けて突出する第１当接部１０と第２当接部１１とを備えた位置制御手段７を設けており、
第１当接部１０は、第２商品Ｍ２の高さｈ２よりも上位に位置し且つ第１商品Ｍ１の幅ｗ１により規定される後面１ｂを当接せしめる第１当たり面１０ａを形成し、
第２当接部１１は、第１商品Ｍ１の高さｈ１よりも低位に位置し且つ第２商品Ｍ２の幅ｗ２により規定される後面２ｂを当接せしめる第２当たり面１１ａを形成しており、
棚板の背部の所定位置を基準面Ｑとしたとき、第１当たり面１０ａの基準面Ｑからの距離Ｌ１と、第２当たり面１１ａの基準面Ｑからの距離Ｌ２を、Ｌ１＋ｗ１＝Ｌ２＋ｗ２となるように構成したことを特徴とする陳列棚における商品整列装置。
【請求項２】
商品を載置する棚板を備えた陳列棚であり、棚板の奥行き方向に関する商品の少なくとも上端部における幅を幅寸法ｗとすると共に、棚板の載置面から商品の上端部までの高さを高さ寸法ｈとしたとき、ｗ１＜ｗ２＜ｗ３＜ｗｎ且つｈ１＞ｈ２＞ｈ３とされた幅ｗ１及び高さｈ１を有する第１商品Ｍ１と幅ｗ２及び高さｈ２を有する第２商品Ｍ２と幅ｗ３及び高さｈ３を有する第３商品Ｍ３とから成る複数の商品を棚板に載置せしめる構成において、
棚板の上部において背部から正面に向けて突出する第１当接部１０と第２当接部１１と第３当接部２６を備えた位置制御手段７を設けており、
第１当接部１０は、第２商品Ｍ２の高さｈ２よりも上位に位置し且つ第１商品Ｍ１の幅ｗ１により規定される後面１ｂを当接せしめる第１当たり面１０ａを形成し、
第２当接部１１は、第１商品Ｍ１の高さｈ１よりも低位で第３商品Ｍ３の高さｈ３よりも上位に位置し且つ第２商品Ｍ２の幅ｗ２により規定される後面２ｂを当接せしめる第２当たり面１１ａを形成し、
第３当接部２６は、第２商品Ｍ２の高さｈ２よりも低位に位置し且つ第３商品Ｍ３の幅ｗ３により規定される後面３ｂを当接せしめる第３当たり面２６ａを形成しており、
棚板の背部の所定位置を基準面Ｑとしたとき、第１当たり面１０ａの基準面Ｑからの距離Ｌ１と、第２当たり面１１ａの基準面Ｑからの距離Ｌ２と、第３当たり面２６ａの基準面Ｑからの距離Ｌ３を、Ｌ１＋ｗ１＝Ｌ２＋ｗ２＝Ｌ３＋ｗ３となるように構成したことを特徴とする陳列棚における商品整列装置。
【発明の詳細な説明】
【０００１】
【発明の属する技術分野】
本発明は、展示ケースに収納されたビデオカセット又はＤＶＤ等の記録媒体に関する商品や、書籍等の商品を店内において展示し陳列するための陳列棚に関するものであり、特に、大小異なる複数の商品を棚板に載置したとき、商品の正面壁を同一面に沿って揃わせることを可能にした整列装置に関する。
【０００２】
【従来の技術】
従来、例えば、レンタル店や販売店においては、映画等を録画したビデオカセットを展示ケースに収納した状態で陳列棚に載置することにより展示し陳列している。ところで、近年、ＤＶＤの普及に伴い、ビデオカセットに代えて録画済のＤＶＤを展示ケースに収納した商品が増加しつつある。然しながら、全てのビデオカセットがＤＶＤに変わるまで、相当の長期間を要すると考えられる。多くの顧客は、未だビデオデッキに馴染んでおり、従って、レンタル店や販売店は、ビデオカセットとＤＶＤを混在せしめた状態で陳列棚に展示しているのが現状である。
【０００３】
また、レンタル店においては、貸与に供するためのビデオカセットやＤＶＤを保護ケースに収納した後、更に、展示用の外装ケースに収納した状態で陳列棚に展示している。この際、顧客に貸出された商品については、貸出中、空の外装ケースを陳列棚に展示することが行われている。通常、貸出可能な状態で待機している商品は、外装ケースの上部開口部から保護ケースが突出した状態にある。従って、顧客は、外装ケースから保護ケースの一部が突出している商品については貸出可能な状態にあり、外装ケースがこのような突出部分を有しない商品については貸出中であり貸出不能な状態にあることを視認することができる。
【０００４】
【発明が解決しようとする課題】
上述のようなレンタル店におけるビデオカセットとＤＶＤについて、陳列棚に展示される商品の幅寸法及び高さ寸法を図９に示している。
【０００５】
図９（Ａ）（Ｂ）は、ビデオカセットに関する商品を示しており、ビデオカセット用展示ケース１にビデオカセットを収納した保護ケース１ａを上部が突出するように挿入した状態（貸出可能状態）を図９（Ａ）に示し、ビデオカセット用展示ケース１が空とされた状態（貸出不能状態）を図９（Ｂ）に示している。
【０００６】
図９（Ｃ）（Ｄ）は、ＤＶＤに関する商品を示しており、ＤＶＤ用展示ケース２にを収納した保護ケース２ａを上部が突出するように挿入した状態（貸出可能状態）を図９（Ｃ）に示し、ＤＶＤ用展示ケース２が空とされた状態（貸出不能状態）を図９（Ｄ）に示している。
【０００７】
これらの商品は、店舗内において、陳列棚の棚板の上に載置され横並びの積層状態で展示される。従って、陳列棚の棚板に対する奥行き方向の幅寸法ｗと高さ方向の高さ寸法ｈに関して、ビデオカセット用展示ケース１は、幅ｗｖと高さｈｖを有し、ＤＶＤ用展示ケース２は、幅ｗｄと高さｈｄを有しており、ｗｖ＞ｗｄ且つｗｄ＜ｗｖに形成されている。
【０００８】
従って、このように幅寸法（ｗｖ、ｗｄ）を相違するビデオカセット用展示ケース１とＤＶＤ用展示ケース２を混在状態で陳列棚の棚板に横並び状に載置し、それぞれのケースの後面を陳列棚の背板に当接せしめると、ビデオカセット用展示ケース１とＤＶＤ用展示ケース２の正面壁が同一面となるように揃わず、相互に凸凹を呈するため、展示に際して見栄えが悪いという問題がある。
【０００９】
このため、店員が棚板上のビデオカセット用展示ケース１とＤＶＤ用展示ケース２を棚板の奥行き方向に移動させることにより、相互に正面壁が同一面に揃うように整理しているのが現状であり、煩雑な作業を強いられている。
【００１０】
【課題を解決するための手段】
本発明は、上記問題を解決するにあたり、市場に供給されている商品の間において、次のような条件が存在する事実を知得した。即ち、ビデオカセット用展示ケース１は、保護ケース１ａを挿入した貸出可能状態において、保護ケース１ａの上部が展示ケース１の上方に突出するので、図９（Ａ）に示すように、展示ケース１の高さｈｖよりも高い高さｈ１とされ、しかも、保護ケース１ａの幅は展示ケース１の幅よりも小さいため、保護ケース１ａの突出部を含む商品における最前面（展示ケース１の正面壁１ｆ）から該突出部の後面１ｂ（陳列棚の背板に対向する面）までの幅ｗ１は、展示ケース１の幅より小さい、即ち、ｗ１＜ｗｖとなる。
【００１１】
同様に、ＤＶＤ用展示ケース２についても、保護ケース２ａを挿入した貸出可能状態において、保護ケース２ａの上部が展示ケース２の上方に突出するので、図９（Ｃ）に示すように、展示ケース２の高さｈｄよりも高い高さｈ２とされ、しかも、保護ケース２ａの幅は展示ケース２の幅よりも小さいため、保護ケース２ａの突出部を含む商品における最前面（展示ケース２の正面壁２ｆ）から該突出部の後面２ｂ（陳列棚の背板に対向する面）までの幅ｗ２は、展示ケース２の幅より小さい、即ち、ｗ２＜ｗｄとなる。
【００１２】
そして、ＤＶＤの場合、保護ケース２ａを抜き取ることにより空とされたＤＶＤ用展示ケース２は、上端部における幅ｗ３を前述の幅ｗｄと等しくされ、高さｈ３を前述の高さｈｄと等しくされる。
【００１３】
ところで、ビデオカセット用展示ケース１に保護ケース１ａを挿入した貸出可能状態とされた第１商品Ｍ１（図９（Ａ））は、上端部における幅ｗ１と高さｈ１を有し、ＤＶＤ用展示ケース２に保護ケース２ａを挿入した貸出可能状態とされた第２商品Ｍ２（図９（Ｂ））は、上端部における幅ｗ２と高さｈ２を有するところ、ｗ１＜ｗ２且つｈ１＞ｈ２となるように形成されているのが一般的である。更に、保護ケース２ａを抜き取ることにより空とされたＤＶＤ用展示ケース２を第３商品Ｍ３（図９（Ｃ））は、上端部における幅ｗ３と高さｈ３を有するところ、必ず、ｗ１＜ｗ２＜ｗ３且つｈ１＞ｈ２＞ｈ３となるように形成されている。
【００１４】
本発明は、このような商品における条件を分析した結果、商品の奥行き方向の位置決めを商品の上部後面において行わしめることにより、商品を無造作に棚板に載置した場合でも、全ての商品の正面壁を同一面となるように整列可能とする装置を提供できることを知得した。
【００１５】
そこで、本発明が第一の手段として構成したところは、商品を載置する棚板を備えた陳列棚であり、棚板の奥行き方向に関する商品の少なくとも上端部における幅を幅寸法ｗとすると共に、棚板の載置面から商品の上端部までの高さを高さ寸法ｈとしたとき、ｗ１＜ｗ２且つｈ１＞ｈ２とされた幅ｗ１及び高さｈ１を有する第１商品と幅ｗ２及び高さｈ２を有する第２商品とから成る複数の商品を棚板に載置せしめる構成において、棚板の上部において背部から正面に向けて突出する第１当接部と第２当接部とを備えた位置制御手段を設けており、第１当接部は、第２商品の高さｈ２よりも上位に位置し且つ第１商品の幅ｗ１により規定される後面を当接せしめる第１当たり面を形成し、第２当接部は、第１商品の高さｈ１よりも低位に位置し且つ第２商品の幅ｗ２により規定される後面を当接せしめる第２当たり面を形成しており、棚板の背部の所定位置を基準面Ｑとしたとき、第１当たり面の基準面Ｑからの距離Ｌ１と、第２当たり面の基準面Ｑからの距離Ｌ２を、Ｌ１＋ｗ１＝Ｌ２＋ｗ２となるように構成した点にある。
【００１６】
また、本発明が第二の手段として構成したところは、商品を載置する棚板を備えた陳列棚であり、棚板の奥行き方向に関する商品の少なくとも上端部における幅を幅寸法ｗとすると共に、棚板の載置面から商品の上端部までの高さを高さ寸法ｈとしたとき、ｗ１＜ｗ２＜ｗ３＜ｗｎ且つｈ１＞ｈ２＞ｈ３とされた幅ｗ１及び高さｈ１を有する第１商品と幅ｗ２及び高さｈ２を有する第２商品と幅ｗ３及び高さｈ３を有する第３商品とから成る複数の商品を棚板に載置せしめる構成において、棚板の上部において背部から正面に向けて突出する第１当接部と第２当接部と第３当接部を備えた位置制御手段を設けており、第１当接部は、第２商品の高さｈ２よりも上位に位置し且つ第１商品の幅ｗ１により規定される後面を当接せしめる第１当たり面を形成し、第２当接部は、第１商品の高さｈ１よりも低位で第３商品の高さｈ３よりも上位に位置し且つ第２商品の幅ｗ２により規定される後面を当接せしめる第２当たり面を形成し、第３当接部は、第２商品の高さｈ２よりも低位に位置し且つ第３商品の幅ｗ３により規定される後面を当接せしめる第３当たり面を形成しており、棚板の背部の所定位置を基準面Ｑとしたとき、第１当たり面の基準面Ｑからの距離Ｌ１と、第２当たり面の基準面Ｑからの距離Ｌ２と、第３当たり面の基準面Ｑからの距離Ｌ３を、Ｌ１＋ｗ１＝Ｌ２＋ｗ２＝Ｌ３＋ｗ３となるように構成した点にある。
【００１７】
【発明の実施の形態】
以下図面に基づいて本発明の好ましい実施形態を詳述する。
【００１８】
（第１実施形態）
本発明の第１実施形態を図１ないし図４に示している。図１に示すように、棚板手段３は、ほぼ水平方向に配置される棚板４と、該棚板４の背縁から起立する背板５とを備えた断面ほぼＬ形の板部材により構成されており、背板５を図示省略した柱手段に着脱自在に架設され、上下多段状の陳列棚を構成する。尚、図例の場合、背板５の上縁部は、背部方向に折曲された頂部６ａと、該頂部６ａから下向きに折曲された背部６ｂとから成るレール手段６を構成する。
【００１９】
位置制御手段７は、棚板手段３における背板５の上部からレール手段６にかけて被冠される断面ほぼＵ形ないしほぼコ形の取付部８と、該取付部８から正面向きに突出するウエブ状の支持部９と、該支持部９の前端縁から上向きに延びる第１当接部１０と、該支持部９の前後方向中途部から下向きに延びる第２当接部１１を設けており、このような取付部８、支持部９、第１当接部１０、第２当接部１１を棚手段３の長手方向に連続して延長するように形成している。
【００２０】
従って、前記取付部８は、背板５の上部正面に沿わしめられる添設壁８ａと、レール手段６の頂部６ａに沿わしめられる頂壁８ｂと、レール手段６の背部６ｂに沿わしめられる背壁８ｃを具備しており、これにより、取付部８をレール手段６に被せることにより、着脱自在に固定される。
【００２１】
第１実施例として示す位置制御手段７は、第１商品Ｍ１（図９（Ａ）に示したビデオカセット用展示ケース１に保護ケース１ａを挿入した貸出状態の商品）と、それが貸出不能とされた状態の変化商品ＭＸ（図９（Ｂ）に示した保護ケース１ａを抜き取られた空のビデオカセット用展示ケース１）と、第２商品Ｍ２（図９（Ｃ）に示したＤＶＤ用展示ケース２に保護ケース１ａを挿入した貸出状態の商品）を混在せしめた状態で棚板４に横並び状に載置し展示したとき、図１に鎖線Ｐで示すように、これらの商品Ｍ１、ＭＸ、Ｍ２の最前面となる正面壁１ｆ、２ｆが同一面となるように整列せしめることを可能にする。尚、「同一面」の意味は、完全な同一面である他、外観上の美観に関して、差し支えない程度の段差を許容する「ほぼ同一面」を含むものとして理解されたい。
【００２２】
このような「同一面」に関する整列を可能にするために、第１当接部１０と第２当接部１１は、所定の条件を満たすように形成されている。
【００２３】
即ち、第１当接部１０は、図２（Ａ）に示すように、第２商品Ｍ２の高さｈ２よりも上位に位置し且つ第１商品Ｍ１の幅ｗ１により規定される後面１ｂを当接せしめる第１当たり面１０ａを形成し、しかも、第１商品Ｍ１の後面１ｂを第１当たり面１０ａに当接した状態で、第１商品Ｍ１の正面壁１ｆが前記同一面Ｐに位置するように、棚板４の上部における背部の所定位置とされた基準面Ｑから第１当たり面１０ａまでの距離Ｌ１を設定されている。
【００２４】
これに対して、第２当接部１１は、図２（Ｂ）に示すように、第１商品Ｍ１の高さｈ１よりも低位に位置し且つ第２商品Ｍ２の幅ｗ２により規定される後面２ｂを当接せしめる第２当たり面１１ｂを形成し、しかも、第２商品Ｍ２の後面２ｂを第２当たり面１１ａに当接した状態で、第２商品Ｍ２の正面壁２ｆが前記同一面Ｐに位置するように、前記基準面Ｑから第２当たり面１１ａまでの距離Ｌ２を設定されている。
【００２５】
従って、位置制御手段７の第１当接部１０と第２当接部１１は、幅ｗ１とされた第１商品Ｍ１の位置を制御する第１当たり面１０ａの基準面Ｑからの距離Ｌ１と、幅ｗ２とされた第２商品Ｍ２の位置を制御する第２当たり面１１ａの基準面Ｑからの距離Ｌ２を、Ｌ１＋ｗ１＝Ｌ２＋ｗ２となるように形成されており、その結果、混在する第１商品Ｍ１と第２商品Ｍ２を棚板４の上部に載置した状態でこれらの商品Ｍ１、Ｍ２を棚手段３の背方向に押し込んでやるだけで、第１商品Ｍ１の正面壁１ｆと第２商品Ｍ２の正面壁２ｆが同一面Ｐに沿うように整列される。
【００２６】
図示実施形態の場合、図２（Ａ）に示すように、第１商品Ｍ１の後面１ｂを第１当接部１０の第１当たり面１０ａに当接した状態で、同時に、ビデオカセット用展示ケース１の上端近傍の後面１ｃが第２当接部１１の第２当たり面１１ａに当接するように構成されている。即ち、第２当たり面１１ａの基準面Ｑからの距離Ｌ２は、第１商品Ｍ１の幅ｗ１と、展示ケース１の幅ｗｖと、前記第１当たり面１０ａの距離Ｌ１に対して、Ｌ２＋ｗｖ＝Ｌ１＋ｗ１となるように設定されている。従って、第１商品Ｍ１に関しては、貸出不能とされた状態の変化商品ＭＸ（保護ケース１ａを抜き取られた空のビデオカセット用展示ケース１）についても、棚板４に載置した状態で正面壁１ｆが同一面Ｐに沿うように整列される（図１参照）。
【００２７】
図示実施形態の構成によれば、位置制御手段７は、上述のように商品を整列せしめるために機能する他、図１に示すように、棚手段３に仕切板１２を装着せしめるためにも機能する。図示のように、位置制御手段７の第１当接部１０は、支持部９を介して添設壁８ａとの間に溝を形成するので、該第１当接部１０により仕切板１２を係止せしめるための係止手段１３として兼用される。即ち、仕切板１２は、係止手段１３に着脱自在に係止可能な係止溝１４を設けたフック１５を設けている。従って、係止溝１４を長手方向に延びる係止手段１３の所望の個所に嵌合係止せしめることにより、必要に応じて、棚板４の上部空間を長手方向に分割するように仕切ることができる。尚、仕切板１２は、係止手段１３から宙吊り状に吊持される構成としても良く、或いは、図示省略しているが、仕切板１２の下端に設けた爪片を棚板４に形成したスリットに挿着するように構成しても良い。
【００２８】
（第１実施形態の第１変形実施例）
図３は、上述した第１実施形態に係る位置制御手段７の第１変形実施例を示しており、この場合、位置制御手段７は、合成樹脂により一体成形されている。この変形実施例において、棚手段３におけるレール手段６の頂部６ａには、長手方向に所定間隔、好ましくは等間隔をあけて、上下に貫通する被着孔１６が設けられている。これに対応して、位置制御手段７における取付部８の頂壁８ｂには、上下に貫通する取着孔１７が設けられている。従って、取付部８をレール手段６に被せた状態で、相互に合致する取着孔１７と被着孔１６にナイロンファスナー等の固定手段１８を挿着すれば、取付部８が遊動したり脱落することがないように位置制御手段７を固定することができる。或いは、選択的又は付加的に、位置制御手段７における背壁８ｃに楔形の爪部１９を設け、取付部８をレール手段６に被せた状態で、爪部１９がレール手段７の背部６ｂの下縁に係止するように構成しても良い。
【００２９】
また、図３に示す変形実施例において、第２当接部１１は、支持部９に固定された固定板２０と、該固定板２０に重ね合わせられた移動板２１とから構成されており、例えば、長孔２２とピン２３とから成るスライド機構２４を構成している。スライド機構２４は、図示矢印Ｕで示すように、固定板２０に対して移動板２１を上下に移動可能且つ固定可能とする。従って、上述した商品のうち、第２商品Ｍ２の高さｈ２が異なる場合において、移動板２１により形成される第２当たり面１０ａを第２商品Ｍ２の後面２ｂに確実に当接せしめるように、移動板２１の上下位置を調節することができる。尚、図例のように、移動板２１は、長手方向に分割された分割板から成り、それぞれの分割板が独立してスライド機構２４により上下位置を調節できるように構成されていることが望ましい。
【００３０】
更に、合成樹脂により位置制御手段７を長尺体として成形した場合、それを任意の長さ寸法に分断できるように、予め成形時に分断補助手段２５が設けられている。図例の場合、位置制御手段７の横断線上に位置する長孔により分断補助手段２５を構成しており、第１当接部１０、支持部９、第２当接部１１（固定板２０）、添設壁８ａ、頂壁８ｂ、背壁８ｃのそれぞれに長孔を設け、隣接する長孔の間に位置する部分をカッター等で切断すれば、位置制御手段７の長さ寸法を変更することができる。従って、棚手段３の長さ寸法が異なるような場合でも位置制御手段７を棚手段３の長さ寸法に適合せしめた状態で使用することが可能になる。或いは、棚手段３の長さ方向の全体ではなく、一部分にだけ位置制御装置７を設ける必要があるような場合、前述のように切断することにより短尺体とされた位置制御装置７を必要な個所に取付けることができる。尚、分断補助手段２５は、図例のような長孔により構成する他、位置制御手段７の横断線上に沿って形成された溝により構成しても良い。
【００３１】
（第１実施形態の第２変形実施例）
図４は、上述した第１実施形態に係る位置制御手段７の第２変形実施例を示しており、この場合、位置制御手段７は、合成樹脂により、棚手段３に一体成形されている。
【００３２】
（第２実施形態）
本発明の第２実施形態を図５ないし図８に示している。基本的構成は、上記第１実施形態と同様であり、第１実施形態について説明した第１変形実施例や第２変形実施例もそのまま適用できるが、第２実施形態は、第１商品Ｍ１と、第２商品Ｍ２の他に、第３商品Ｍ３についても、これらの商品を混在状態で棚板４に載置したとき、正面壁が同一面Ｐに揃って整列されるように構成している。
【００３３】
従って、位置制御手段７が第１当接部１０と第２当接部１１を設けている点は、上述した第１実施形態と同様である。即ち、図６（Ａ）に示すように、第１当接部１０は、第２商品Ｍ２の高さｈ２よりも上位に位置し且つ第１商品Ｍ１の幅ｗ１により規定される後面１ｂを当接せしめる第１当たり面１０ａを形成し、しかも、第１商品Ｍ１の後面１ｂを第１当たり面１０ａに当接した状態で正面壁１ｆが前記同一面Ｐに位置するように、基準面Ｑから第１当たり面１０ａまでの距離Ｌ１を設定されている。そして、第１商品Ｍ１の後面１ｂを第１当接部１０の第１当たり面１０ａに当接した状態で、同時に、ビデオカセット用展示ケース１の上端近傍の後面１ｃが第２当接部１１の第２当たり面１１ａに当接するように構成されており、従って、図６（Ｂ）に示すように、第１商品Ｍ１の変化商品ＭＸ（保護ケース１ａを抜き取られた空のビデオカセット用展示ケース１による貸出不能状態の商品）も、正面壁１ｆが同一面Ｐに沿うように整列される
【００３４】
また、図７（Ａ）に示すように、第２当接部１１は、第１商品Ｍ１の高さｈ１よりも低位に位置し且つ第２商品Ｍ２の幅ｗ２により規定される後面２ｂを当接せしめる第２当たり面１１ａを形成し、しかも、第２商品Ｍ２の後面２ｂを第２当たり面１１ａに当接した状態で、第２商品Ｍ２の正面壁２ｆが前記同一面Ｐに位置するように、前記基準面Ｑから第２当たり面１１ａまでの距離Ｌ２を設定されている。即ち、第１当たり面１０ａと第２当たり面１１ａは、Ｌ１＋ｗ１＝Ｌ２＋ｗ２となるように形成されており、これにより、混在する第１商品Ｍ１と第２商品Ｍ２を棚板４の上部に載置した状態で、第１商品Ｍ１の正面壁１ｆと第２商品Ｍ２の正面壁２ｆが同一面Ｐに沿って整列されるように構成している。
【００３５】
上記は第１実施形態と同様であるが、第３実施形態においては、第７図（Ｂ）に示すように、位置制御手段７に第３商品Ｍ３のための第３当接部２６を設け、第３当接部２６に形成した第３当たり面２６ａにより、第２商品Ｍ２の高さｈ２よりも低位に位置し且つ第３商品の幅ｗ３により規定される後面３ｂを当接せしめるように構成している。そして、第１当たり面１０ａの基準面Ｑからの距離Ｌ１と、第２当たり面１１ａの基準面Ｑからの距離Ｌ２と、第３当たり面２６ａの基準面Ｑからの距離Ｌ３を、Ｌ１＋ｗ１＝Ｌ２＋ｗ２＝Ｌ３＋ｗ３となるように構成している。
【００３６】
その結果、棚板４に載置した第３商品Ｍ３は、棚手段３の背方向に押し込んでやるだけで、正面壁３ｆを同一面Ｐに沿うように整列され、図５に示すように、第１商品Ｍ１の正面壁１ｆと、その変化商品ＭＸと、第２商品Ｍ２の正面壁２ｆと、第３商品Ｍ３の正面壁３ｆを、全て同一面Ｐに沿うように整列することができる。
【００３７】
このような第３実施形態に基づく位置制御手段７は、ビデオカセットに関する第１商品Ｍ１及び変化商品ＭＸや、ＤＶＤに関する第２商品Ｍ２及び第３商品Ｍ３に限らず、書籍その他の大小寸法を相違する第１商品Ｍ１、第２商品Ｍ２、第３商品Ｍ３に対して広く適用することができる。即ち、その基本的な原理を図８に示すように、棚板４の奥行き方向に関する少なくとも上端部の幅寸法ｗと、棚板４の載置面からの高さ寸法ｈに関して、ｗ１＜ｗ２＜ｗ３＜ｗｎ且つｈ１＞ｈ２＞ｈ３とされる条件において、幅ｗ１及び高さｈ１を有する第１商品Ｍ１と＜幅ｗ２及び高さｈ２を有する第２商品Ｍ２と、幅ｗ３及び高さｈ３を有する第３商品Ｍ３に対し、位置制御手段７が棚板の上部で背部から正面に向けて突出する第１当接部１０と第２当接部１１と第３当接部２６を設けている。そして、第１当接部１０の第１当たり面１０ａは、第２商品Ｍ２の高さｈ２よりも上位に位置し且つ第１商品Ｍ１の幅ｗ１により規定される後面１ｂを当接せしめるように構成され、第２当接部１１の第２当たり面１１ａは、第１商品Ｍ１の高さｈ１よりも低位で第３商品Ｍ３の高さｈ３よりも上位に位置し且つ第２商品Ｍ２の幅ｗ２により規定される後面２ｂを当接せしめるように構成され、更に、第３当接部２６の第３当たり面２６ａは、第２商品Ｍ２の高さｈ２よりも低位に位置し且つ第３商品Ｍ３の幅ｗ３により規定される後面３ｂを当接せしめるように構成されている。この点に関して、棚板４の背部の所定位置、即ち基準面Ｑに関して、第１当たり面１０ａの基準面Ｑからの距離Ｌ１と、第２当たり面１１ａの基準面Ｑからの距離Ｌ２と、第３当たり面２６ａの基準面Ｑからの距離Ｌ３は、Ｌ１＋ｗ１＝Ｌ２＋ｗ２＝Ｌ３＋ｗ３となるように構成されている。尚、（Ｌ１＋ｗ１）と（Ｌ２＋ｗ２）と（Ｌ３＋ｗ３）は、数値が完全に等しくなる場合の他、整列された商品の外観上の美観に関して、許容できる程度の差を含み得ることは上述した通りである。
【００３８】
従って、このような構成によれば、図８（Ａ）に示すような第１商品Ｍ１、図８（Ｂ）に示すような第２商品Ｍ２、図８（Ｃ）に示すような第３商品Ｍ３の全てが、それぞれ、第１当たり面１１ａ、第２当たり面１１ｂ、第３当たり面２６ａにより奥行き方向の位置決めを行われ、正面壁１ｆ、２ｆ、３ｆを同一面Ｐに沿って揃わせるように整列される。
【００３９】
このように理解されるように、本発明の位置制御手段７は、上記と同様に構成することにより、更に、第４商品のための第４当たり面を有する第４当接部を設けることが可能であり、要するに、ｎ個の商品に対して、ｎ個の当接部を設けることにより、正面壁を同一面Ｐに整列させるという本発明の目的を達成することができる。
【００４０】
【発明の効果】
本発明によれば、展示ケースに収納されたビデオカセット又はＤＶＤ等の記録媒体に関する商品や、書籍等の商品を店内において展示し陳列するための陳列棚において、大小異なる複数の商品を混在状態で棚板に載置し展示するに際し、單に商品を棚板の奥行き方向に押し込んでやるだけで、それぞれの商品の正面壁を同一面Ｐに沿って揃わせ、整列できるという効果がある。
【図面の簡単な説明】
【図１】本発明の第１実施形態を示す斜視図である。
【図２】第１実施形態の作用を示しており、（Ａ）は第１商品を載置したときの作用を示す側断面図であり、（Ｂ）は第２商品を載置したときの作用を示す側断面図である。
【図３】第１実施形態における第１変形実施例を示す斜視図である。
【図４】第１実施形態における第２変形実施例を示す斜視図である。
【図５】本発明の第２実施形態を示す斜視図である。
【図６】第２実施形態の作用を示しており、（Ａ）は第１商品を載置したときの作用を示す側断面図であり、（Ｂ）はその変化商品を載置したときの作用を示す側断面図である。
【図７】同じく、第２実施形態の作用を示しており、（Ａ）は第２商品を載置したときの作用を示す側断面図であり、（Ｂ）は第３商品を載置したときの作用を示す側断面図である。
【図８】本発明の第２実施形態の作用原理を示しており、（Ａ）は第１商品を載置したときの作用を示す側断面図であり、（Ｂ）は第２商品を載置したときの作用を示す側断面図であり、（Ｃ）は第２商品を載置したときの作用を示す側断面図である。
【図９】各商品の大きさを示す斜視図であり、（Ａ）は第１商品の斜視図、（Ｂ）はその変化商品の斜視図、（Ｃ）は第２商品の斜視図、（Ｄ）は第３商品の斜視図である。
【符号の説明】
Ｍ１    第１商品
ＭＸ    第１商品の変化商品
Ｍ２    第２商品
Ｍ３    第３商品
７    位置制御手段
８    取付部
９    支持部
１０    第１当接部
１０ａ  第１当たり面
１１    第２当接部
１１ａ  第２当たり面
２６    第３当接部
２６ａ  第３当たり面
【図１】
2004283224.tif 000003
【図２】
2004283224.tif 000004
【図３】
2004283224.tif 000005
【図４】
2004283224.tif 000006
【図５】
2004283224.tif 000007
【図６】
2004283224.tif 000008
【図７】
2004283224.tif 000009
【図８】
2004283224.tif 000010
【図９】
2004283224.tif 000011